【手続補正書】
【提出日】平成27年7月23日(2015.7.23)
【手続補正１】
【補正対象書類名】特許請求の範囲
【補正対象項目名】全文
【補正方法】変更
【補正の内容】
【特許請求の範囲】
【請求項１】
撮像装置と通信する通信装置であって、
前記撮像装置から、前記撮像装置で撮像中の画像を繰り返し受信する受信手段と、
前記受信手段により受信した画像に基づき、表示手段にライブビュー画像を表示するよう制御する表示制御手段と、
所定の条件を満たした場合に、省電力状態に移行する移行手段とを有し、
前記移行手段により前記省電力状態に移行した場合、前記受信手段は、前記撮像装置から前記画像を繰り返し受信する間隔を長くすることを特徴とする通信装置。
【請求項２】
前記所定の条件を満たした場合とは、前記通信装置または前記撮像装置に対して所定期間操作がない場合を含むことを特徴とする請求項１に記載の通信装置。
【請求項３】
前記通信装置は前記撮像装置から画像を受信するためのアプリケーションを実行可能であり、
前記所定の条件を満たした場合とは、前記アプリケーションがバックグランドに移行した場合を含むことを特徴とする請求項１または２に記載の通信装置。
【請求項４】
前記アプリケーションがバックグランドに移行してから所定期間が経過した場合、前記ライブビュー画像の表示を終了することを前記撮像装置に通知する通知手段をさらに有することを特徴とする請求項３に記載の通信装置。
【請求項５】
前記通信装置は前記撮像装置から画像を受信するためのアプリケーションを実行可能であり、
前記アプリケーションがバックグランドに移行した場合、前記撮像装置との通信を維持したまま、前記受信手段による画像の受信を停止することを特徴とする請求項１または２に記載の通信装置。
【請求項６】
前記移行手段により前記省電力状態に移行した場合に、前記受信手段が前記撮像装置から前記画像を繰り返し受信する間隔は、固定の間隔であることを特徴とする請求項１乃至５のいずれか１項に記載の通信装置。
【請求項７】
前記移行手段により前記省電力状態に移行した場合に、前記受信手段が前記撮像装置から前記画像を繰り返し受信する間隔は、前記通信装置に対する操作状態に応じて可変であることを特徴とする請求項１乃至５のいずれか１項に記載の通信装置。
【請求項８】
前記移行手段により前記省電力状態に移行した場合に、前記受信手段が前記撮像装置から前記画像を繰り返し受信する間隔は、前記通信装置の電池残量に応じて可変であることを特徴とする請求項１乃至５のいずれか１項に記載の通信装置。
【請求項９】
撮像装置と通信する通信装置であって、
前記撮像装置から、前記撮像装置で撮像中の画像を繰り返し受信する受信手段と、
前記受信手段により受信した画像に基づき、表示手段にライブビュー画像を表示するよう制御する表示制御手段と、
所定の条件を満たした場合に、省電力状態に移行する移行手段と、
前記移行手段により前記省電力状態に移行した場合、前記撮像装置から受信する画像のデータ量を小さくするための指示を前記撮像装置に送信する送信手段とを有することを特徴とする通信装置。
【請求項１０】
前記所定の条件を満たした場合とは、前記通信装置または前記撮像装置に対して所定期間操作がない場合を含むことを特徴とする請求項９に記載の通信装置。
【請求項１１】
前記画像のデータ量は、解像度を低下させることにより小さくなることを特徴とする請求項９または１０に記載の通信装置。
【請求項１２】
前記画像のデータ量は、圧縮率を増加させることにより小さくなることを特徴とする請求項９または１０に記載の通信装置。
【請求項１３】
前記表示制御手段は、前記ライブビュー画像と、前記撮像装置に撮像要求を送信する指示部材を示す画像とを同じ画面上に表示するよう制御することを特徴とする請求項１乃至１２のいずれか１項に記載の通信装置。
【請求項１４】
前記受信手段は、前記撮像要求に基づき前記撮像装置が得た撮像画像を受信し、
前記表示制御手段は、前記ライブビュー画像に少なくとも一部重畳して前記撮像画像を表示するよう制御することを特徴とする請求項１３に記載の通信装置。
【請求項１５】
前記撮像要求に基づく前記撮像画像の表示中であっても、前記指示部材を示す画像を用いた撮像要求が可能であることを特徴とする請求項１４に記載の通信装置。
【請求項１６】
前記撮像要求に基づく前記撮像画像の表示中は、前記受信手段による画像の受信を停止することを特徴とする請求項１４または１５に記載の通信装置。
【請求項１７】
前記撮像要求に基づく前記撮像画像の表示中は、前記受信手段は前記撮像装置からの前記画像を繰り返し受信する間隔を長くすることを特徴とする請求項１４または１５に記載の通信装置。
【請求項１８】
撮像装置と通信する通信装置の制御方法であって、
前記撮像装置から、前記撮像装置で撮像中の画像を繰り返し受信する受信ステップと、
前記受信ステップにより受信した画像に基づき、表示手段にライブビュー画像を表示するよう制御する表示制御ステップと、
所定の条件を満たした場合に、省電力状態に移行する移行ステップとを有し、
前記移行ステップにより前記省電力状態に移行した場合、前記受信ステップでは、前記撮像装置から前記画像を繰り返し受信する間隔を長くすることを特徴とする通信装置の制御方法。
【請求項１９】
撮像装置と通信する通信装置の制御方法であって、
前記撮像装置から、前記撮像装置で撮像中の画像を繰り返し受信する受信ステップと、
前記受信ステップにより受信した画像に基づき、表示手段にライブビュー画像を表示するよう制御する表示制御ステップと、
所定の条件を満たした場合に、省電力状態に移行する移行ステップと、
前記移行ステップにより前記省電力状態に移行した場合、前記撮像装置から受信する画像のデータ量を小さくするための指示を前記撮像装置に送信する送信ステップとを有することを特徴とする通信装置の制御方法。
【請求項２０】
請求項１乃至１７のいずれか１項に記載の通信装置の各手段としてコンピュータを機能させるためのプログラム。
【手続補正２】
【補正対象書類名】明細書
【補正対象項目名】発明の名称
【補正方法】変更
【補正の内容】
【発明の名称】通信装置、その制御方法及びプログラム
【手続補正３】
【補正対象書類名】明細書
【補正対象項目名】０００１
【補正方法】変更
【補正の内容】
【０００１】
本発明は、撮像装置と通信する通信装置、その制御方法及びプログラムに関する。
【手続補正４】
【補正対象書類名】明細書
【補正対象項目名】０００６
【補正方法】変更
【補正の内容】
【０００６】
本発明の通信装置は、撮像装置と通信する通信装置であって、前記撮像装置から、前記撮像装置で撮像中の画像を繰り返し受信する受信手段と、前記受信手段により受信した画像に基づき、表示手段にライブビュー画像を表示するよう制御する表示制御手段と、所定の条件を満たした場合に、省電力状態に移行する移行手段とを有し、前記移行手段により前記省電力状態に移行した場合、前記受信手段は、前記撮像装置から前記画像を繰り返し受信する間隔を長くすることを特徴とする。
【手続補正５】
【補正対象書類名】明細書
【補正対象項目名】０００７
【補正方法】変更
【補正の内容】
【０００７】
本発明によれば、撮像装置からライブビュー画像を転送し、転送先となる外部機器である通信装置で表示するに際して、撮影に必要なパフォーマンスを保ちつつ、かつ省電力を図ることができる。